(57)【特許請求の範囲】
【請求項１】
かご呼びサービス時、かご内に設けられたサービス該当階のかご呼びボタンに設けられたかご呼び応答灯を点滅させ、到着を示す機能を有するエレベーターの表示案内装置において、
前記かご呼び応答灯の点滅周期切り替えであることを検出する点滅周期切替手段と、この点滅周期切替手段操作後、前記かご呼びボタンを所定のパターンで押圧操作することにより、前記かご呼び応答灯の点滅周期を変更させる処理操作を行う点滅周期変更手段とを備え、かつ、前記点滅周期変更手段は、前記点滅周期切替手段による点滅周期の切り替え動作後、所定の回数押圧されたかご呼びボタンのＯＮ時間・ＯＦＦ時間を前記所定の回数分で平均値を求め、この平均値を点滅周期に設定することを特徴とするエレベーターの表示案内装置。
【請求項２】
かご呼びサービス時、かご内に設けられたサービス該当階のかご呼びボタンに設けられたかご呼び応答灯を点滅させ、到着を示す機能を有するエレベーターの表示案内装置において、
前記かご呼び応答灯の点滅周期切り替えであることを検出する点滅周期切替手段と、この点滅周期切替手段操作後、前記かご呼びボタンを所定のパターンで押圧操作することにより、前記かご呼び応答灯の点滅周期を変更させる処理操作を行う点滅周期変更手段とを備え、前記点滅周期変更手段は、前記点滅周期切替手段による点滅周期の切り替え動作後、所定の時間内に、所定の回数押圧されたかご呼びボタンのＯＮ時間・ＯＦＦ時間を前記所定の回数分で平均値を求め、この平均値を点滅周期に設定することを特徴とするエレベーターの表示案内装置。
【発明の詳細な説明】
【０００１】
【発明の属する技術分野】
本発明は、エレベーターのかご内に設置され、到着案内のかご呼び応答灯の点滅周期を容易に変更できるエレベーターの表示案内装置に関する。
【０００２】
【従来の技術】
近年、健常者、高齢者、障害者の全ての人を対象として、分け隔てなく使いやすい状態で機器を提供することを目的としたユニバーサルデザインの適用が増加してきている。これに伴い、エレベーターにおいてもユニバーサルデザインが適用され、かご呼びサービス時当該階への到着を案内するために、かご内に設けられるかご呼びボタンを点滅させる機能を備えたエレベーター表示案内装置が開発されている。
【０００３】
しかし、かご呼びボタンを点滅させる周期は、エレベーターの使用勝手や用途によって変更が要望される場合がある。例えば、健常者にあっては最適と感じる点滅周期だったとしても、福祉施設等においては早すぎる点滅周期と感じられて危機感を招くおそれがもあり、逆に点滅周期が遅いことに伴って点滅されていることに気付かないことも起こり得る。
【０００４】
従来では、このように、エレベーターの使用勝手や用途によって点滅周期の変更が要望される場合、エレベーターの制御盤内の専用記憶装置（ＲＯＭ）に記憶された点滅周期の固定データを、保守員が専用保守ツールを用いて変更する方法が行われている。すなわち、専用保守ツールを用いての専用記憶装置（ＲＯＭ）内のデータの変更は、建屋オーナーや建屋管理人による変更を不可能にするものであった。
【０００５】
また、公知技術である特公平３−９８９６９号公報に記載されるように、ホール到着表示案内点滅装置に備えられる点滅周期変更手段が知られている。しかしながら、かご呼びサービス時、かご内のサービス該当階のかご呼び応答灯を点滅させ、到着を示す機能を有する点滅周期変更手段は提案されていない。
【０００６】
また、上述した特公平３−９８９６９号公報に記載される点滅周期変更手段は、エレベーターの保守員が、エレベーターホールに設置されるホール呼びボタンを操作して変更作業を行うことを前提とするものであった。
【０００７】
【発明が解決しようとする課題】
上述したように、従来一般に行われている点滅周期の変更は、専用記憶装置（ＲＯＭ）の固定データを専用保守ツールを持つ保守員が変更するものであり、この固定データの変更に多くの労力と時間を要していた。また、この変更作業中はエレベーターを休止させるため、エレベーターの利用者に対するサービス性が著しく低下する問題もあった。
【０００８】
また、上述した従来公知の公報に記載されるホール到着表示案内点滅装置の点滅周期変更手段は、点滅周期の変更は容易であるが、保守員による作業に限られるものであり、エレベーターが設置される建屋のオーナーや管理人による変更は不可能であり、エレベーターの利用者側に対する即応性に欠ける問題があった。
【０００９】
本発明は、上述した従来技術における実状からなされたもので、その目的は、かご呼びサービス時、かご内の当該階のかご呼び応答灯を点滅させる機能を有するものにおいて、保守員によることなく、容易にかご呼び応答灯の点滅周期を変更することができるエレベーターの表示案内装置を提供することにある。
【００１０】
【課題を解決するための手段】
上記目的を達成するため、本発明は、かご呼びサービス時、かご内に設けられたサービス該当階のかご呼びボタンに設けられたかご呼び応答灯を点滅させ、到着を示す機能を有するエレベーターの表示案内装置において、前記かご呼び応答灯の点滅周期切り替えであることを検出する点滅周期切替手段と、この点滅周期切替手段操作後、前記かご呼びボタンを所定のパターンで押圧操作することにより、前記かご呼び応答灯の点滅周期を変更させる処理操作を行う点滅周期変更手段とを備え、かつ、前記点滅周期変更手段は、前記点滅周期切替手段による点滅周期の切り替え動作後、所定の回数押圧されたかご呼びボタンのＯＮ時間・ＯＦＦ時間を前記所定の回数分で平均値を求め、この平均値を点滅周期に設定する構成にしてある。
【００１１】
このように構成した本発明にあっては、かご呼び応答灯の点滅周期の変更の必要が生じときには、誰でも点滅周期切替手段を操作した後に、かご呼びボタンを所定のパターンで押圧操作して点滅周期変更手段を作動させればよく、保守員によることなく、すなわち専用保守ツール等を要することなく容易に点滅周期を変更することができる。
【００１２】
【発明の実施の形態】
以下，本発明のエレベーターの表示案内装置の実施形態を図に基づいて説明する。
【００１３】
図１は本発明のエレベーターの表示案内装置の一実施形態を構成する外部入力部を形成するかご内の運転盤、及び制御ブロックを含むブロック図である。
【００１４】
この図において、１はエレベーターのかご内に設置されるかご呼び登録用の運転盤、１ａはドアを開閉させるドア開閉ボタン、１ｂは目的階のかご呼びを登録するかご呼びボタンである。このかご呼びボタン１ｂに、該当階を点滅表示するかご呼び応答灯が含まれている。
【００１５】
本実施形態の要部を構成する制御ブロック２において、３は後述の外部入力信号、又はかご呼びボタン１ｂによる所定のパターン、例えば所定の暗号入力操作により点滅周期変更モードであることを検出するモード切換検出部、４は運転盤１のかご呼びボタン１ｂの操作を検出するかご呼びボタン入力検出部、５は運転盤１の所定のかご呼びボタン１ｂが操作されてからカウントアップを始めるタイマー、６は運転盤１の所定のかご呼びボタン１ｂが押された回数をカウントアップするカウンター、７はタイマー５とカウンター６の値に基づいて、かご呼びボタン１ｂがＯＮとなっている時間とＯＦＦとなっている時間のそれぞれの平均値を求める演算部、８は演算部７で求められた平均値を最終点滅周期として図示しない専用記憶装置（ＲＯＭ）に書き込む点滅周期設定部、９は点滅周期設定部８で設定された最終点滅周期をかご呼びボタン１ｂに含まれるかご呼び応答灯に出力する応答灯出力部である。
【００１６】
上述した制御ブロック２のモード切換検出部３は、かご呼び応答灯の点滅周期を切り替える点滅周期切替手段の一部を構成している。例えば、かご内の運転盤１に点滅周期の切り替えを指示する信号を出力可能な手動切替スイッチを設けた場合には、この手動切替スイッチと前述のモード切換検出部３とによって、点滅周期切替手段が構成される。また例えば、かご内の運転盤１に設けられるかご呼びボタン１ｂによって所定の暗号入力操作をする場合には、このかご呼びボタン１ｂと前述したモード切換検出部３とによって点滅周期切替手段が構成される。
【００１７】
また、運転盤１のかご呼びボタン１ｂと、制御ブロック２のかご呼びボタン入力検出部４と、タイマー５と、カウンター６と、演算部７と、点滅周期設定部８と、応答灯出力部９とは、かご呼びボタン１ｂを所定のパターンで押圧操作することにより、該当階のかご呼びボタン１ｂに含まれるかご呼び応答灯の点滅周期を変更する点滅周期変更手段を構成している。
【００１８】
図２は図１に示す本実施形態に備えられる制御ブロックで実施される処理手順を示すフローチャートである。
【００１９】
例えばかご内の運転盤１に設けられる図示しない手動切替スイッチの切り替え操作により出力される外部入力信号によって、又は、かご内の運転盤１に設けられるかご呼びボタン１ｂによる所定の暗号入力操作によって、点滅周期変更モードであることをモード切換検出部３が検出すると（手順Ｓ１）、タイマー５はリセットされカウントアップ待機状態となる（手順Ｓ２）。
【００２０】
この状態において、運転盤１の所定のかご呼びボタン１ｂが点滅周期の変更を意図している者、例えば建屋の管理人によって操作されると、かご呼びボタン入力検出部４により検出した所定のかご呼びボタン１ｂの入力信号をトリガーにタイマー５はカウントアップを開始する（手順Ｓ３）。カウンター６は所定のかご呼びボタン１ｂが押された回数をカウントする。所定の回数が満たされるまでカウントを続ける（手順Ｓ４）。ここで、所定の回数を満たさずにタイマー５が所定値までカウントアップした場合は、すなわち、予め定められる所定時間を超えた場合には、エラーとなり処理を強制終了させることが行われる。
【００２１】
所定の時間内に（手順Ｓ５）所定の回数をカウントアップした場合には（手順Ｓ６）、演算部７においてかご呼びボタン１ｂがＯＮとなっている時間と、ＯＦＦとなっている時間のそれぞれの平均値が求められる。演算部７で求められたＯＮ、ＯＦＦのそれぞれの平均時間は、機械語に変換された後、点滅周期設定部８に格納される。点滅周期設定部８に設定された値は、即座に応答灯出力部９により該当するかご呼びボタン１ｂに出力される（手順Ｓ８）。これにより、かご呼びボタン１ｂに含まれるかご呼び応答灯は、演算部７の演算に用いた押圧回数分だけ、演算によって得られた点滅間隔でＯＮ、ＯＦＦを繰り返し、点滅する。
【００２２】
図３は図１に示される本実施形態に備えられる制御ブロック２の演算部７における処理内容を示すタイムチャートである。はじめに、演算前のタイムチャートについて説明する。本タイムチャートではカウンター６の所定回数を例えば５回としている。ｔ１〜ｔ５は点滅周期変更モードにおいて、所定のかご呼びボタン１ｂをそれぞれ押した時間である。Ｔはｔ１のＯＮエッジからｔ５のＯＦＦエッジのトータルタイムである。これらの情報をもとに、演算部７では点滅周期のＯＦＦ時間を、
{Ｔ−（ｔ１＋ｔ２＋ｔ３＋ｔ４＋ｔ５）}／４
で求める。また、点滅周期のＯＮ時間は、ＴからＯＦＦ時間のトータル時間を減算し、５で割り算をして求める。これにより、ＯＮ時間とＯＦＦ時間それぞれの平均時間が求められる。演算後のタイムチャートは、同図３の下部の図に示されるものとなる。
【００２３】
【発明の効果】
本発明によれば、かご呼びサービス時、かご内の該当階のかご呼びボタンを点滅させる機能を有するものにおいて、保守員によることなく容易にかご呼び応答灯の点滅周期を変更することができ、保守員の労力を従来に比べて軽減させることができる。また、エレベーターを休止させることなくおこなえるのでエレベーターの利用者に対するサービス性を従来に比べて向上させることができる。さらに、エレベーターが設置される建屋のオーナーや管理人による点滅周期の変更も可能であり、エレベーターの利用者側に対する即応性を確保することができる。
【図面の簡単な説明】
【図１】本発明のエレベーターの表示案内装置の一実施形態の構成を示すブロック図である。
【図２】図１に示す一実施形態に備えられる制御ブロックで実施される処理手順を示すフローチャートである。
【図３】図１に示す一実施形態に備えられる制御ブロックの演算部における演算前の値、演算後の値を示すタイムチャートである。
【符号の説明】
１    運転盤
１ａ  開閉ボタン
１ｂ  かご呼びボタン（点滅周期切替手段）（点滅周期変更手段）
２    制御ブロック
３    モード切換検出部（点滅周期切替手段）
４    かご呼びボタン入力検出部（点滅周期変更手段）
５    タイマー（点滅周期変更手段）
６    カウンター（点滅周期変更手段）
７    演算部（点滅周期変更手段）
８    点滅周期設定部（点滅周期変更手段）
９    応答出力部（点滅周期変更手段）
【図１】
0003981249.tif 000002
【図２】
0003981249.tif 000003
【図３】
0003981249.tif 000004